(57)【特許請求の範囲】
【請求項１】
シリンダヘッドのウォータジャケットと、シリンダブロックのウォータジャケットとを相互に独立に備えると共に、各ウォータジャケットとラジエータとを戻し管で接続しているエンジンの冷却装置において、
前記シリンダブロックのウォータジャケットと前記ラジエータとを接続している前記戻し管に介装された電制バルブと、
前記ラジエータへの冷却液の注入を示す信号が入力されると、前記電制バルブを強制的に開状態に制御する制御手段とを設け、
前記ラジエータへの冷却液の注入を示す信号が入力され、前記電制バルブが開状態のとき、前記シリンダブロックのウォータジャケットのエアが前記戻し管を介して前記ラジエータの注入口から放出され、
暖機中は前記電制バルブを閉状態にして前記シリンダブロックのウォータジャケットにおける流れをせき止めることを特徴とするエンジンの冷却装置。
【請求項２】
前記制御手段を備えた制御ユニットに対し選択的に接続される外部ユニットに対して、注入作業を指示することによって、前記冷却液の注入を示す信号が前記外部ユニットから前記制御ユニットに対して送信されることを特徴とする請求項１記載のエンジンの冷却装置。
【請求項３】
前記冷却液の注入を示す信号が注入の開始を示す信号であり、前記制御手段が、前記注入の開始を示す信号を入力したときに、その後一定時間だけ前記電制バルブを強制的に開状態に制御することを特徴とする請求項１又は２記載のエンジンの冷却装置。
【請求項４】
冷却液の注入口の開放状態を検出するスイッチを備え、
前記制御手段が、前記スイッチからの注入口の開放状態を示す信号を、前記冷却液の注入を示す信号として入力することを特徴とする請求項１記載のエンジンの冷却装置。
【請求項５】
ラジエータを介して冷却液を循環させる状態と、前記ラジエータを迂回して冷却液を循環させる状態とに切り替える切替えバルブを設け、
前記制御手段によって前記電制バルブが強制的に開状態に制御されるときに、前記切替えバルブが、前記ラジエータを介して冷却液を循環させる状態に強制的に切り替えられ、
前記切替えバルブは、暖機中前記ラジエータをバイパスして冷却液を循環させる状態にすることを特徴とする請求項１〜４のいずれか１つに記載のエンジンの冷却装置。
【請求項６】
シリンダヘッドのウォータジャケットと、シリンダブロックのウォータジャケットとを相互に独立に備えると共に、各ウォータジャケットとラジエータとを戻し管で接続しているエンジンの冷却装置において、
前記シリンダブロックのウォータジャケットと前記ラジエータとを接続している前記戻し管に介装された電制バルブを設け、
前記ラジエータへの冷却液の注入を示す信号が入力されると、前記電制バルブを強制的に開状態に制御することと、
暖機中は前記電制バルブを閉状態にして前記シリンダブロックのウォータジャケットにおける流れをせき止めることとを有し、
前記ラジエータへの冷却液の注入を示す信号が入力され、前記電制バルブが開状態のとき、前記シリンダブロックのウォータジャケットのエアが前記戻し管を介して前記ラジエータの注入口から放出されることを特徴とするエンジンの冷却装置におけるエア抜き方法。
【発明の詳細な説明】
【技術分野】
【０００１】
本発明は、エンジンの冷却装置及びエンジンの冷却装置におけるエア抜き方法に関し、詳しくは、シリンダブロックに設けられる独立したウォータジャケット内からエアを抜くための技術に関する。
【背景技術】
【０００２】
特許文献１には、シリンダヘッドのウォータジャケットと、シリンダブロックのウォータジャケットとを相互に独立に備えると共に、前記シリンダブロックのウォータジャケットの出口を開閉するバルブを備え、暖機中（冷機時）に、前記バルブを閉じてシリンダブロックのウォータジャケット内における冷却液の流れをせき止め、シリンダボアの昇温を図る冷却装置が開示されている。
【特許文献１】特開２００４−０４４６０９号公報
【発明の開示】
【発明が解決しようとする課題】
【０００３】
ところで、上記従来の冷却装置では、冷機状態では、シリンダブロックのウォータジャケットの出口がバルブによって閉じられるが、この状態で、冷却液をラジエータに注入する作業を行うと、シリンダブロックのウォータジャケットからエアが抜けず、ウォータジャケット内を冷却液で満たすことができなくなってしまう。
【０００４】
ここで、前記シリンダブロックのウォータジャケットからシリンダヘッドのウォータジャケットへ抜けるエア抜き穴や、前記シリンダブロックのウォータジャケットの出口を開閉するバルブからエアを抜く穴を設ければ、冷却液を注入するときに、前記エア抜き穴を介してシリンダブロックのウォータジャケットからエアを抜くことができる。
【０００５】
しかし、上記のようにエア抜き穴を設けた場合、暖機中に前記バルブを閉じても、シリンダブロックのウォータジャケット内の冷却液が前記エア抜き穴を介して漏れ出すことになって、シリンダブロックのウォータジャケット内に冷却液の流れが生じる。
【０００６】
本来、シリンダボアの昇温を目的として、シリンダブロックのウォータジャケットにおける冷却液の流れをせき止めるようにしているのに、前記エア抜き穴を介して冷却液の循環が生じると、前記昇温の効果が損なわれてしまうという問題が生じてしまう。
【０００７】
そこで、本発明は、エア抜き用の穴を設けずに、冷却液の注入時にシリンダブロックのウォータジャケットからエアを抜くことができるようにして、冷却液の注入を良好に行わせつつ、暖機中にシリンダブロック（シリンダボア）の昇温効果を最大限に得られるようにすることを目的とする。
【課題を解決するための手段】
【０００８】
そのため、本発明に係るエンジンの冷却装置及びエンジンの冷却装置におけるエア抜き方法では、シリンダヘッドのウォータジャケットと、シリンダブロックのウォータジャケットとを相互に独立に備えると共に、各ウォータジャケットとラジエータとを戻し管で接続しているエンジンの冷却装置において、前記シリンダブロックのウォータジャケットと前記ラジエータとを接続している前記戻し管に介装された電制バルブと、前記ラジエータへの冷却液の注入を示す信号が入力されると、前記電制バルブを強制的に開状態に制御する制御手段とを設け、前記ラジエータへの冷却液の注入を示す信号が入力され、前記電制バルブが開状態のとき、前記シリンダブロックのウォータジャケットのエアが前記戻し管を介して前記ラジエータの注入口から放出され、暖機中は前記電制バルブを閉状態にして前記シリンダブロックのウォータジャケットにおける流れをせき止めるようにした。
【発明の効果】
【０００９】
上記構成によると、電制バルブが閉じられた状態では、シリンダブロックのウォータジャケットにおける冷却液の流れがせき止められるから、暖機中に電制バルブを閉じることで、シリンダブロック（シリンダボア）の昇温を促進できることになる。
【００１０】
ここで、冷却液が注入されるときには、電制バルブを強制的に開状態に制御するので、シリンダブロックのウォータジャケットに注入された冷却液に押し出されるエアを、前記電制バルブを介して抜くことができる。
【００１１】
上記のように、シリンダブロックのウォータジャケットのエアを、開いた電制バルブを介して抜くので、シリンダブロックのウォータジャケットからシリンダヘッドのウォータジャケットへ抜けるエア抜き穴や、電制バルブの閉状態でバルブを介してエアを抜くためのエア抜き穴などを設ける必要はない。
【００１２】
従って、暖機中に、エア抜き穴を介した冷却液の流出によってシリンダブロックのウォータジャケット内に冷却液の流れが発生することがなく、シリンダブロック（シリンダボア）の昇温効果を最大限に得られる。
【発明を実施するための最良の形態】
【００１３】
以下に本発明の実施の形態を図に基づいて説明する。
図１は、実施の形態におけるエンジンの冷却装置を示す。
図１において、エンジン１は、シリンダヘッド２とシリンダブロック３とからなり、シリンダヘッド２にはウォータジャケット４が、シリンダブロック３にはウォータジャケット５が形成されている。
【００１４】
前記ウォータジャケット４とウォータジャケット５とは相互に独立に形成され、エンジン１で駆動されるウォータポンプ６の吐出口に対して、両ウォータジャケット４，５が並列に接続される。
【００１５】
尚、前記ウォータジャケット４とウォータジャケット５との間を連通させるエア抜き穴などは設けられておらず、前記ウォータジャケット４とウォータジャケット５との間で直接的に冷却水（冷却液）が移動することはない。
【００１６】
尚、本実施形態において、冷却水とは、真水の他、不凍液などが混入される場合を含むものであり、冷却水と冷却液とには実質的な違いはないものとする。
ウォータジャケット４の出口に一端が接続される第１戻し管７の他端と、ウォータジャケット５の出口に一端が接続される第２戻し管８の他端とが合流し、戻し管９の一端に接続される。
【００１７】
尚、前記第１戻し管７と第２戻し管８とをエンジン１内に一体的に形成し、エンジン１内で合流させるようにすることができる。
前記戻し管９の他端は、ラジエータ１０の上方に設けられる入口に接続され、また、前記戻し管９の途中と、第１電制サーモスタット１１とを接続するバイパス管１２が設けられている。
【００１８】
前記第１電制サーモスタット１１は、前記ラジエータ１０の下方に設けられる出口と前記ウォータポンプ６の吸込口とを接続する供給管１３の途中に介装され、電磁コイルへの通電によって配管の接続状態を切り替えるバルブである。
【００１９】
具体的には、前記第１電制サーモスタット１１への通電のオン・オフによって、バイパス管１２を閉じ、ラジエータ１０の出口と前記ウォータポンプ６の吸込口とを接続させる状態と、ラジエータ１０の出口と前記ウォータポンプ６の吸込口との接続を断ち、バイパス管１２とウォータポンプ６の吸込口とを接続させる状態とに切り替える。
【００２０】
即ち、前記第１電制サーモスタット１１によってラジエータ１０の出口と前記ウォータポンプ６の吸込口とが接続されると、エンジン１を通過した冷却水は、ラジエータ１０内を通過した後、再度エンジン１に供給される。
【００２１】
一方、前記第１電制サーモスタット１１によってバイパス管１２とウォータポンプ６の吸込口とを接続させる状態では、エンジン１を通過した冷却水は、ラジエータ１０を経由することなく、ウォータポンプ６に吸い込まれ、再度エンジン１に供給される。
【００２２】
換言すれば、前記第１電制サーモスタット１１は、ラジエータ１０内を通過させて冷却水を循環させる状態と、ラジエータ１０をバイパスさせて冷却水を循環させる状態とに切り替える切替えバルブである。
【００２３】
また、第２戻し管８の途中には、第２戻し管８を開閉する電磁バルブ（電制バルブ）である第２電制サーモスタット１４が介装されている。
前記第２電制サーモスタット１４を閉じると、前記ウォータジャケット５の出口が遮断され、ウォータジャケット５内における冷却水の流れがせき止められ、ウォータジャケット５内に冷却水が滞留することになる。
【００２４】
前記第１電制サーモスタット１１及び第２電制サーモスタット１４は、マイクロコンピュータを内蔵する車載の電子制御ユニット２１の制御信号（電源供給制御）によって動作する。
【００２５】
前記電子制御ユニット２１は、第１電制サーモスタット１１及び第２電制サーモスタット１４を制御する機能と共に、エンジン１の燃料噴射や点火を制御する機能を有する。
前記電子制御ユニット２１には、シリンダボア（シリンダブロック）の温度を検出するボア温センサ２２、及び、冷却水の温度を検出する水温センサ２３からの信号が入力される。
【００２６】
尚、ボア温センサ２２は、図示省略したヘッドガスケットに一体的に設けることができる。
そして、前記電子制御ユニット２１は、前記ボア温センサ２２及び水温センサ２３の検出結果に基づいて、前記第１電制サーモスタット１１及び第２電制サーモスタット１４を制御することで、冷却水及びシリンダボア（シリンダブロック）の温度調整を行う。
【００２７】
具体的には、前記水温センサ２３の信号に基づいて検出される冷却水温度と閾値との比較に基づいて冷機時（暖機中）であるか、暖機後であるかを判断し、暖機後であれば、前記ラジエータ１０を通って冷却水が循環される状態に前記第１電制サーモスタット１１を切り替え、冷機時（暖機中）であれば、前記ラジエータ１０をバイパスして（ラジエータ１０を通らずに）冷却水が循環される状態に前記第１電制サーモスタット１１を切り替える。
【００２８】
これにより、冷機時には、冷却水がラジエータ１０で放熱することが回避され、冷却水の昇温を図って暖機を促進させることができる一方、暖機後は、冷却水の熱をラジエータ１０で放熱させて、冷却水温度の過剰な上昇を抑え、エンジン１の冷却効果を維持させることができる。
【００２９】
また、前記ボア温センサ２２の信号に基づいて検出されるシリンダボア（シリンダブロック）の温度と閾値とを比較し、シリンダボア（シリンダブロック）の温度が閾値より下であると、第２電制サーモスタット１４を閉じるように制御する。
【００３０】
前記第２電制サーモスタット１４を閉じると、ウォータジャケット５内における冷却水の流れがせき止められ、ウォータジャケット５内に冷却水が滞留する結果、シリンダブロック３における冷却水による冷却効率が落ち、シリンダブロック３の昇温を促進できる。
【００３１】
そして、シリンダブロック３の昇温が促進されることで、ピストンとシリンダボアとの間の摩擦抵抗を低減し、燃費向上を図ることができる。
図２は、第１電制サーモスタット１１によって冷却水がラジエータ１０をバイパスして流れるようにし、かつ、第２電制サーモスタット１４が閉じられた場合に、冷却水が循環する経路を示している。
【００３２】
図２の場合、冷却水は、シリンダヘッド２のウォータジャケット４のみを通過し、ウォータジャケット４を通過した冷却水は、ラジエータ１０を通過することなく、再度、ウォータジャケット４内に圧送されることになる。
【００３３】
図３は、第１電制サーモスタット１１によって冷却水がラジエータ１０を通過して循環されるようにし、かつ、第２電制サーモスタット１４が開かれた場合に、冷却水が循環される経路を示している。
【００３４】
図３の場合、冷却水は、シリンダヘッド２のウォータジャケット４とシリンダブロック３のウォータジャケット５との双方を通過し、各ウォータジャケット４，５を通過した冷却水は合流してラジエータ１０に戻り、ラジエータ１０を通過した後の冷却水が、再度、各ウォータジャケット４，５内に圧送されることになる。
【００３５】
尚、第１電制サーモスタット１１によって冷却水がラジエータ１０をバイパスして流れるようにする場合に、同時に第２電制サーモスタット１４を閉じるようにしても良く、また、エンジン１の負荷・回転速度、更に、冷却水温度などから前記第２電制サーモスタット１４の開閉を制御してもよく、第２電制サーモスタット１４の開閉制御をボア温センサ２２に基づく制御に限定するものではない。
【００３６】
上述した、冷却水温度やシリンダボア（シリンダブロック）温度などに基づく、第１電制サーモスタット１１及び第２電制サーモスタット１４の制御を、以下では、通常の温度調整制御と称するものとする。
【００３７】
ところで、前記ラジエータ１０への注水時におけるエア抜け性を向上させるために、前記電子制御ユニット２１は、前記第１電制サーモスタット１１及び第２電制サーモスタット１４を、冷却水温度やシリンダボア（シリンダブロック）の温度などとは無関係に（通常の温度調整制御に優先して）制御する機能を有しており、以下では、前記エア抜きのための制御を説明する。
【００３８】
まず、整備工場などにおいてラジエータ１０に注水するときに、前記電子制御ユニット２１に対して携帯端末装置（外部ユニット）３１を接続ケーブル３２によって接続する（図１参照）。
【００３９】
前記携帯端末装置（外部ユニット）３１は、マイクロコンピュータを含んでなり、液晶画面の他、キーボードなど入力装置を備える汎用の整備用ツールであり、前記電子制御ユニット２１に対して着脱可能で、整備時に必要に応じて接続される。
【００４０】
前記携帯端末装置（外部ユニット）３１は、後述するように、エア抜きのための指示を電子制御ユニット２１に対して送信する機能を有すると共に、電子制御ユニット２１に記憶されている故障診断の履歴を読み出して表示したり、前記故障診断の履歴を消去したり、前記電子制御ユニット２１を通常制御モードから故障診断モードに切り替えたり、車両の各種機器の識別番号などを表示したりする機能を有する。
【００４１】
ここで、前記携帯端末装置３１は、前記エア抜きのための指示として、前記電子制御ユニット２１に対して注水開始の信号（冷却液の注入を示す信号）を出力する。
前記注水開始の信号は、作業者が、前記携帯端末装置３１に対してコマンドの打ち込みやモード選択などの操作を行うことで、電子制御ユニット２１に対して送信されるようになっている。
【００４２】
前記注水開始の信号を入力する前記電子制御ユニット２１では、図４のフローチャートに示すような処理を行う。
図４のフローチャートに示すルーチンは、エンジンスイッチ（イグニッションスイッチ）２４がオンされることで実行される。
【００４３】
まず、ステップＳ１０１では、前記携帯端末装置３１からの信号を読み込み、ステップＳ１０２では、前記携帯端末装置３１からの注水開始の信号が入力されているか否かを判断する。
【００４４】
注水開始の信号が入力されていない場合には、ステップＳ１０３，１０４を迂回してステップＳ１０５へ進み、前記通常の温度調整制御を行う。
一方、前記携帯端末装置３１からの注水開始の信号が入力されている場合には、ステップＳ１０３へ進み、前記第２電制サーモスタット１４を開状態に強制的に制御し、かつ、第１電制サーモスタット１１を冷却水がラジエータ１０を通過する状態に強制的に制御する。
【００４５】
通常のエンジン始動時は、冷却水温度及びシリンダボア（シリンダブロック）温度が共に低いから、通常の温度調整制御では、前記第２電制サーモスタット１４を閉状態に制御してウォータジャケット５における冷却水の流れをせき止め、かつ、第１電制サーモスタット１１を、冷却水がラジエータ１０をバイパスする状態に制御することになる。
【００４６】
しかし、前記ステップＳ１０２では、前記通常の温度調整制御による制御状態とは逆に、ウォータジャケット５に冷却水が流れる状態にし、かつ、冷却水がラジエータ１０を通過して循環される状態に強制的に制御する。
【００４７】
次のステップＳ１０４では、エンジンスイッチ（イグニッションスイッチ）２４がオンされてから、換言すれば、ウォータジャケット５に冷却水が流れる状態にし、かつ、冷却水がラジエータ１０を通過して循環される状態にしてから、予め記憶された一定時間（所定時間）が経過したか否かを判断する。
【００４８】
そして、前記一定時間が経過するまでは、前記第２電制サーモスタット１４を開状態に保持し、かつ、第１電制サーモスタット１１を冷却水がラジエータ１０を通過する状態に保持する。
【００４９】
上記のステップＳ１０１〜ステップＳ１０４の部分が、エア抜き手段に相当し、前記ステップＳ１０３において、第１電制サーモスタット１１を冷却水がラジエータ１０を通過する状態に強制的に制御する機能が、バイパス制御手段に相当する。
【００５０】
前記一定時間が経過すると、注水作業は終了したものと見なして、ステップＳ１０５へ進み、通常の温度調節制御を開始する。
尚、前記一定時間は、注水作業に必要とされる標準的な時間に余裕分を加算して予め設定される。
【００５１】
本実施形態では、ウォータジャケット５からエアを抜くための穴などを設けていないため、第２電制サーモスタット１４が閉じた状態では、ウォータジャケット５からエアを抜くことはできないが、第２電制サーモスタット１４を強制的に開制御してウォータジャケット５の出口を開ければ、第２電制サーモスタット１４を介してエアを抜くことができ、エアが抜けることでウォータジャケット５内に冷却水を注入できる。
【００５２】
第２電制サーモスタット１４を通過したエアは、戻し管９を介してラジエータ１０に至り、注水のために開けられているラジエータ１０の注水口（注水キャップ）１０ａを介して大気中に放出される。
【００５３】
また、シリンダヘッド２のウォータジャケット４への注水によって、ウォータジャケット４から追い出されるエアも、戻し管９を介してラジエータ１０に至り、注水のために開けられているラジエータ１０の注水口（注水キャップ）１０ａを介して大気中に放出される。
【００５４】
上記のように、注水時にウォータジャケット５からエアを抜くためのエア抜き穴を設けずに、第２電制サーモスタット１４を強制的に開制御してエアを抜くので、通常の温度調整制御時に第２電制サーモスタット１４を閉制御したときに、ウォータジャケット５内における冷却水の流れをせき止めて、シリンダボアの昇温効果を最大限に得ることができる。
【００５５】
第２電制サーモスタット１４の閉状態でもエアを抜くことができるように、エア抜き穴を設けると、該エア抜き穴を介した冷却水の漏れ出しによってウォータジャケット５内に冷却水の流れが生じてしまい、保温性能が低下するが、エア抜き穴がなければ、冷却水の漏れ出しが殆どなくなり、より高い保温性能を発揮させることができる。
【００５６】
また、本実施形態では、第２電制サーモスタット１４を強制的に開制御すると同時に、第１電制サーモスタット１１を冷却水がラジエータ１０を通過する状態に制御することで、エア抜きと冷却水の注入とをより効率的に行わせることができる。
【００５７】
即ち、第１電制サーモスタット１１が、冷却水がラジエータ１０をバイパスする状態に制御されていると、ラジエータ１０の出口が第１電制サーモスタット１１で閉じられる状態となり、ラジエータ１０に注入された冷却水は、ラジエータ１０の入口まで水位が上がってから入口からあふれ出るようにして、エンジン１側に流れ込むことになる。
【００５８】
ここで、前述のように、ウォータジャケット４とウォータジャケット５から抜かれたエアは、ラジエータ１０の入口を介してラジエータ１０内に入り、注水口（注水キャップ）１０ａを介して大気中に放出されるから、同一の経路内を冷却水とエアとが相互に逆向きに進むことになり、冷却水の注入及びエア抜きをスムーズに行うことができない。
【００５９】
これに対し、第１電制サーモスタット１１を冷却水がラジエータ１０を通過する状態に制御すれば、ラジエータ１０の出口が開けられることになり、ラジエータ１０に注入された冷却水は、ラジエータ１０の出口から流出して、第１電制サーモスタット１１及びウォータポンプ６を介してエンジン１のウォータジャケット４とウォータジャケット５内に流れ込むことになる。
【００６０】
一方、ウォータジャケット４とウォータジャケット５から追い出されたエアは、冷却水が逆流してくることがない戻し管９を介してラジエータ１０の入口からラジエータ１０内に入ることになるから、冷却水の注入経路とエアが抜かれる経路とが別々になり、冷却水とエアとが同一経路内で衝突することがないので、冷却水の注入及びエア抜きをそれぞれスムーズに行わせることができる。
【００６１】
但し、第２電制サーモスタット１４を強制的に開制御するときに、冷却水がラジエータ１０をバイパスする状態であっても良く、この場合でも、ウォータジャケット５からエアを抜くことはできる。
【００６２】
従って、第１電制サーモスタット１１に代えて、ワックスなどの感温部材によって開閉動作する機械式のサーモスタットを備える冷却装置であっても良い。
また、電子制御ユニット２１に注入作業を行うことを指示するためのスイッチなどを設け、電子制御ユニット２１に対して直接注水を指示することができる。
【００６３】
また、電子制御ユニット２１に対して、無線で冷却水の注入を示す信号を送信させることができ、外部からの信号の入力は有線・無線のいずれであっても良い。
また、外部ユニットを携帯端末装置３１に限定するものでもなく、例えば、ラジエータ１０の注水口（注水キャップ）１０ａからの冷却水の排出と注水とを行う冷却水の交換装置などから注水開始を指示させることができる。
【００６４】
更に、電子制御ユニット２１に、冷却水の注入を示す信号が入力されている間、前記第２電制サーモスタット１４を開状態に保持し、かつ、第１電制サーモスタット１１を冷却水がラジエータ１０を通過する状態に保持させるようにすることができる。
【００６５】
即ち、冷却水の注入が指示されると、該指示がキャンセルされるまで、前記第２電制サーモスタット１４を開状態に保持し、かつ、第１電制サーモスタット１１を冷却水がラジエータ１０を通過する状態に保持させるようにするものであり、係る構成とすれば、注水作業に手間取って通常よりも長い時間がかかっても、注水途中（エア抜きの途中）で第２電制サーモスタット１４が閉じられてしまうことを回避できる。
【００６６】
また、注水を示す信号が入力された時に、通常の温度調整制御に用いる温度の検出結果を増大補正し又は注水時用の基準温度に置き換え、通常の温度調節制御の結果として、前記第２電制サーモスタット１４を開状態に制御し、かつ、第１電制サーモスタット１１を冷却水がラジエータ１０を通過する状態に制御させることができる。
【００６７】
また、注水は、ラジエータ１０の注水口（注水キャップ）１０ａを開放させて行われるので、注水口（注水キャップ）１０ａの開放信号を、冷却水の注入を示す信号として前記制御ユニット２１が入力し、前記開放信号に基づいて第１電制サーモスタット１１及び第２電制サーモスタット１４を制御するようにできる。
【００６８】
図５のフローチャートは、前記注水口（注水キャップ）１０ａの開放信号に基づいてエア抜き制御を行う第２実施形態における制御の流れを示す。
尚、図１のシステム図は、第１実施形態と第２実施形態とに共通的に用いるべく、携帯端末装置３１が電子制御ユニット２１に接続されると共に、前記注水口（注水キャップ）１０ａの開閉に応じて出力のオン・オフが切り替わる開放検知スイッチ４１を備え、該開放検知スイッチ４１の信号が電子制御ユニット２１に入力されるようになっているが、第２実施形態では、携帯端末装置３１の電子制御ユニット２１に対する接続は不要であり、前記第１実施形態では、前記開放検知スイッチ４１を備える必要はない。
【００６９】
図５のフローチャートに示すルーチンは、エンジンスイッチ２４がオンされることで実行され、まず、ステップＳ２０１では、前記開放検知スイッチ４１の信号を読み込む。
尚、注水口はラジエータ１０に備えられている必要はなく、例えば、シリンダヘッド２や冷却水の配管途中に備えられている場合であってもよく、前記開放検知スイッチ４１は、ラジエータ１０に注水口が設けられる場合に限らずに、注水口の開放を検知するものである。
【００７０】
ステップＳ２０２では、前記注水口（注水キャップ）１０ａが開放されているか否かを、前記開放検知スイッチ４１の信号に基づいて判断する。
前記注水口（注水キャップ）１０ａが開放されている場合には、ステップＳ２０３へ進み、前記第２電制サーモスタット１４を開状態に強制的に制御し、かつ、第１電制サーモスタット１１を冷却水がラジエータ１０を通過する状態に強制的に制御する。
【００７１】
上記ステップＳ２０１〜ステップＳ２０３の部分がエア抜き手段に相当し、ステップＳ２０３における第１電制サーモスタット１１の制御がバイパス制御手段に相当する。
上記制御により、注水口（注水キャップ）１０ａから注がれた冷却水は、ラジエータ１０の出口から第１電制サーモスタット１１を通過してエンジン１のウォータジャケット４とウォータジャケット５内に入り、注水によって各ウォータジャケット４，５から追い出されるエアは、戻し管９，ラジエータ１０内を介し、注水口（注水キャップ）１０ａから大気中に放出される。
【００７２】
注水作業が終了し、注水口（注水キャップ）１０ａが閉塞されると、ステップＳ２０２において注水口（注水キャップ）１０ａが開放されていないと判断されることで、ステップＳ２０４へ進むようになる。
【００７３】
ステップＳ２０４では、前記通常の温度調整制御を行う。
上記第２実施形態では、注水作業のために注水口（注水キャップ）１０ａを開放すると、ウォータジャケット５内からエアを抜くことができるように、自動的に前記第２電制サーモスタット１４が開状態に制御されるので、第１実施形態に比べて作業性が良く、例えば、車両のユーザーが冷却水の交換を行う場合でも、ウォータジャケット５内からエアを抜きながら注水できることになる。
【００７４】
即ち、前記携帯端末装置３１のような整備用ツールを電子制御ユニット２１に接続しなくても、通常に注水作業を行うことで、エアがウォータジャケット５からスムーズに抜ける状態に強制的に切り換えられることになる。
【００７５】
一般的に、冷却水の交換作業は、ラジエータ１０からまず冷却水を排出し、排水後に、新しい冷却水をラジエータ１０に注入し、その後、エンジン１をアイドル運転させて適正な量の冷却水を補給できたか否かを判断することになる。
【００７６】
ここで、エンジン１をアイドル運転させるべくエンジンスイッチ２４をオンさせれば、電子制御ユニット２１が起動し、前記第２電制サーモスタット１４が開状態に制御され、ウォータジャケット５内のエアが抜けることになる。
【００７７】
そして、エアが抜けてラジエータ１０における水位が下がると、冷却水が更に補充され、最終的に、適正量の冷却水を補充できることになる。
尚、冷却水の注入を示す信号としては、上記注水口（注水キャップ）１０ａの開放信号の他、ウォータジャケット５やラジエータ１０内の水位（液位）が閾値以下であることを示す信号、ラジエータ１０のドレンコックの開放を示す信号、車両のボンネット（エンジンフード）が開いていることを示す信号などを用いることができ、また、これらの信号を複数組み合わせて、ラジエータ１０への注水を判断させることができる。
【００７８】
例えば、ドレンコックの開放を示す信号を入力した後に、ボンネット（エンジンフード）が閉じられるまでの間において、前記第２電制サーモスタット１４を開状態に制御し、かつ、第１電制サーモスタット１１を冷却水がラジエータ１０を通過する状態に制御することができる。
【００７９】
即ち、冷却水の注入を示す信号としては、直接的に注水作業を示す信号の他、注水が行われる可能性があることを示す信号が含まれ、例えば、ボンネット（エンジンフード）が開かれていることのみを条件として、前記第２電制サーモスタット１４を開状態に制御し、かつ、第１電制サーモスタット１１を冷却水がラジエータ１０を通過する状態に制御することができる。
【図面の簡単な説明】
【００８０】
【図１】本願発明の実施形態におけるエンジンの冷却装置を示す図。
【図２】本願発明の実施形態における冷機時の冷却水の循環経路を示す図。
【図３】本願発明の実施形態における暖機後の冷却水の循環経路を示す図。
【図４】本願発明に係る注水時の制御の第１実施形態を示すフローチャート。
【図５】本願発明に係る注水時の制御の第２実施形態を示すフローチャート。
【符号の説明】
【００８１】
１…エンジン，２…シリンダヘッド，３…シリンダブロック，４，５…ウォータジャケット，６…ウォータポンプ、７〜９…戻し管，１０…ラジエータ，１０ａ…注水口（注水キャップ）、１１…第１電制サーモスタット（電制サーモスタットバルブ）、１２…バイパス管、１３…供給管、１４…第２電制サーモスタット（電制バルブ）、２１…電子制御ユニット、２２…ボア温センサ、２３…水温センサ、２４…エンジンスイッチ（イグニッションスイッチ）、３１…携帯端末装置（外部ユニット）、４１…開放検知スイッチ
【図１】
0004968095.tif 000002
【図２】
0004968095.tif 000003
【図３】
0004968095.tif 000004
【図４】
0004968095.tif 000005
【図５】
0004968095.tif 000006